Podtech/llm-jp-corpus-v4-ja_patent huggingface dataset:
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
ファスナーであって、以下：
組織内で配置するための大きさおよび構成のファスナー本体であり、該ファスナー本体は、力に応答して、組織に貫入するための領域を備える、ファスナー本体；および
プロテーゼ上の取り付け部位と結合するような大きさおよび構成の該ファスナー本体により担持される、取り付け要素
を備える、ファスナー。
【請求項２】
請求項１に記載のファスナーであって、前記ファスナー本体が、前記組織に貫入するための領域を備える遠位端と、該ファスナー本体を加圧器に取り外し可能に結合するための近位端とを備え、そして、該近位端が、前記取り付け要素を担持する、ファスナー。
【請求項３】
請求項２に記載のファスナーであって、前記近位端が、前記取り付け要素が、使用のために露出されるように、組織への前記ファスナー本体の過貫入を防止するための停止構造体を備える、ファスナー。
【請求項４】
請求項１に記載のファスナーであって、前記組織に貫入するための領域が、らせん状コイルを備える、ファスナー。
【請求項５】
請求項１に記載のファスナーであって、前記ファスナー本体が、前記組織に貫入するための領域を備える外側表面を有するステントリングを備える、ファスナー。
【請求項６】
請求項５に記載のファスナーであって、前記ステントリングが、半径方向に拘束された状態と、半径方向に拡張された状態との間で拡張可能である、ファスナー。
【請求項７】
請求項５に記載のファスナーであって、前記ファスナー本体が、前記取り付け要素を備える内側表面を備える、ファスナー。
【請求項８】
請求項５に記載のファスナーであって、前記組織に貫入するための領域が、組織貫入要素を備える、ファスナー。
【請求項９】
請求項１に記載のファスナーであって、前記取り付け要素が、機械式結合アセンブリを備える、ファスナー。
【請求項１０】
請求項９に記載のファスナーであって、前記機械式結合アセンブリが、フックを備える、ファスナー。
【請求項１１】
請求項９に記載のファスナーであって、前記機械式結合アセンブリがバーブを備える、ファスナー。
【請求項１２】
請求項１に記載のファスナーであって、前記取り付け要素が、磁性結合アセンブリを備える、ファスナー。
【請求項１３】
請求項１に記載のファスナーであって、前記取り付け要素が、化学的結合アセンブリを備える、ファスナー。
【請求項１４】
請求項１に記載のファスナーであって、前記ファスナー本体が、放射線不透過性マーカー材料を含有する、ファスナー。
【請求項１５】
プロテーゼシステムであって、以下：
協働する、第１および第２の取り付け要素、
該取り付け要素の一方を担持するプロテーゼ、ならびに
組織内で配置するための大きさおよび構成のファスナー本体であって、該ファスナー本体は、該プロテーゼを該ファスナー本体へと結合するために、該取り付け要素のもう一方を担持する領域を備える、プロテーゼシステム。
【請求項１６】
請求項１５に記載のシステムであって、前記協働する取り付け要素が、機械式結合アセンブリを備える、システム。
【請求項１７】
請求項１６に記載のシステムであって、前記機械式結合アセンブリが、フックを備える、システム。
【請求項１８】
請求項１６に記載のシステムであって、前記機械式結合アセンブリが、バーブを備える、システム。
【請求項１９】
請求項１５に記載のシステムであって、前記協働する取り付け要素が、磁性結合要素を備える、システム。
【請求項２０】
請求項１５に記載のシステムであって、前記協働する取り付け要素が、化学的結合要素を備える、システム。
【請求項２１】
請求項１５に記載のシステムであって、前記ファスナー本体が、組織に貫入するための領域を備える遠位端と、該ファスナー本体を加圧器へと取り外し可能に結合するための近位端とを備え、そして、該近位端が、前記取り付け要素のもう一方を担持する、システム。
【請求項２２】
請求項２１に記載のシステムであって、前記取り付け要素のもう一方が、前記プロテーゼにより担持される該取り付け要素への結合のために露出されるように、前記近位端が、組織への過貫入を防止するための停止構造体を備える、システム。
【請求項２３】
請求項２１に記載のシステムであって、前記組織に貫入するための領域が、らせん状コイルを備える、システム。
【請求項２４】
請求項１５に記載のシステムであって、前記ファスナー本体が、組織に貫入するための領域を備える外側表面を有するステントリングを備える、システム。
【請求項２５】
請求項２４に記載のシステムであって、前記ステントリングが、半径方向に拘束された状態と、半径方向に拡張された状態との間で拡張可能である、システム。
【請求項２６】
請求項２４に記載のシステムであって、前記ファスナー本体が、前記一方の取り付け要素を備える内側表面を備える、システム。
【請求項２７】
請求項２４に記載のシステムであって、前記組織に貫入するための領域が、組織貫入要素を備える、システム。
【請求項２８】
請求項１５に記載のシステムであって、前記ファスナー本体が、放射線不透過性マーカー材料を含有する、システム。
【請求項２９】
標的化した組織領域にある組織にプロテーゼを固定するためのシステムであって、該システムは、以下：
（ｉ）該標的化した組織領域内に少なくとも１つのファスナーを導入するための手段；
（ｉｉ）該標的化した組織領域にある組織内に該ファスナーを移植するための手段；
（ｉｉｉ）該標的化した組織領域内にプロテーゼを導入するための手段、ならびに
（ｉｖ）該標的化した組織領域にある組織に、該プロテーゼを固定するために、該ファスナーに該プロテーゼを取り付けるための手段
を備える、システム。
【請求項３０】
請求項２９に記載のシステムであって、前記ファスナーが、前記プロテーゼに取付けられるような構成の近位端を有するらせん状コイルを備える、システム。
【請求項３１】
請求項２９に記載のシステムであって、前記ファスナーが、組織に貫入するための領域を備える外側表面と、前記プロテーゼに取付けられるような構成の内側表面とを有するステントリングを備える、システム。
【請求項３２】
標的化した組織領域にある組織にプロテーゼを固定するためのシステムであって、該システムは、以下：
（ｉ）該標的化した組織領域内にプロテーゼを導入するための手段；
（ｉｉ）該プロテーゼを、該標的化した組織領域にある組織と接触させて置くための手段；
（ｉｉｉ）該標的化した組織領域内に少なくとも１つのステントリングを導入するための手段；ならびに
（ｉｖ）該標的化した組織領域内の組織に該プロテーゼを固定するために、該プロテーゼに対して該ステントリングの外側表面を押し付けるための手段
を備える、システム。
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
血管または中空の身体器官のための補綴具であって、
補綴具材料の対向する表面をともに接続する縫い目を含む内部を規定して有する補綴具材料を含むトランクを備え、該トランクの内部の少なくとも一部分内に多管腔流れチャネル形態を規定するようなサイズおよび形態である内部隔壁を形成する、補綴具。
【請求項２】
前記多管腔流れチャネル形態が、２つの内部管腔を備える、請求項１に記載の補綴具。
【請求項３】
前記多管腔流れチャネル形態が、前記トランクの中央線の軸に関して対称である、請求項１に記載の補綴具。
【請求項４】
前記多管腔流れチャネル形態が、第１の内部管腔および第２の内部管腔を含み、該内部管腔の少なくとも１つが拡大された管腔を規定する管腔拡大部構成要素を受容するサイズかつ形態である、請求項１に記載の補綴具。
【請求項５】
前記拡大された管腔が、前記隔壁によって他方の内部管腔に接続される部分、および該隔壁によって該他方の内部管腔に接続されない別の部分を含む、請求項４に記載の補綴具。
【請求項６】
前記多管腔流れチャネル形態が、第１の内部管腔、および該第１の内部管腔より短い短縮された第２の内部管腔を含む、請求項１に記載の補綴具。
【請求項７】
前記短縮された第２の内部管腔が、拡大された管腔を規定する管腔拡大部構成要素を受容するサイズかつ形態である、請求項６に記載の補綴具。
【請求項８】
前記拡大された管腔が、前記隔壁によって前記第１の内部管腔に接続される部分、および該隔壁によって該第１の内部管腔に接続されない別の部分を含む、請求項７に記載の補綴具。
【請求項９】
前記トランクの領域が、該トランクを身体組織に固定する固定要素を受容するサイズかつ形態である、請求項１に記載の補綴具。
【請求項１０】
前記補綴具材料が、織物を含む、請求項１に記載の補綴具。
【請求項１１】
前記トランクが、支持体足場を含む、請求項１に記載の補綴具。
【請求項１２】
前記トランクが、少なくとも１つのステント構造物を含む、請求項１に記載の補綴具。
【請求項１３】
前記ステント構造物が、自己拡大するステントリングを含む、請求項１２に記載の補綴具。
【請求項１４】
前記トランクが、間隔を置かれて離れたステント構造物を含む、請求項１に記載の補綴具。
【請求項１５】
前記間隔を置かれて離れたステント構造物が、一方が他方に互いに取り付けられない第１および第２の隣接するステント構造物を含む、請求項１４に記載の補綴具。
【請求項１６】
前記間隔を置かれて離れたステント構造物が、一方が他方に互いに取り付けられる第１および第２の隣接するステント構造物を含む、請求項１４に記載の補綴具。
【請求項１７】
前記トランクが軸に沿って延び、前記隔壁が該トランクの該軸に沿って形成された縫い目を備える、請求項１に記載の補綴具。
【請求項１８】
前記縫い目が、織ることによって形成される、請求項１に記載の補綴具。
【請求項１９】
血管または中空の身体器官のための補綴具アセンブリであって、
補綴具材料の対向する表面をともに接続する縫い目を含む内部を規定して有する補綴具材料を含むトランクであって、該トランクの内部の少なくとも一部分内に、少なくとも第１の内部管腔および第２の内部管腔を備える多管腔流れチャネル形態を規定するようなサイズかつ形態である内部隔壁を形成するトランク、および
該内部の少なくとも１つ内に適合され、拡大された管腔を規定するようなサイズかつ形態である管腔拡大部構成要素、を備える、アセンブリ。
【請求項２０】
前記拡大された管腔が、前記隔壁によって他方の内部管腔に接続される部分、および該隔壁によって該他方の内部管腔に接続されない別の部分を含む、請求項１９に記載のアセンブリ。
【請求項２１】
前記多管腔流れチャネル形態が、第１の内部管腔、および該第１の内部管腔より短い短縮された第２の内部管腔を含む、請求項１９に記載のアセンブリ。
【請求項２２】
前記管腔拡大部が、前記短縮された第２の内部管腔内に適合され、拡大された管腔を規定するサイズかつ形態である、請求項２１に記載のアセンブリ。
【請求項２３】
前記拡大された管腔が、前記隔壁によって前記第１の内部管腔に接続される部分、および該隔壁によって該第１の内部管腔に接続されない別の部分を含む、請求項２２に記載のアセンブリ。
【請求項２４】
前記トランクの領域が、該トランクを身体組織に固定する固定要素を受容するサイズかつ形態である、請求項１９に記載のアセンブリ。
【請求項２５】
前記補綴具材料が、織物を含む、請求項１９に記載のアセンブリ。
【請求項２６】
前記管腔拡大部が、補綴具材料を含む、請求項１９に記載のアセンブリ。
【請求項２７】
前記トランクおよび前記管腔拡大部の各々が、補綴具材料をふくむ、請求項１９に記載のアセンブリ。
【請求項２８】
前記トランクおよび前記管腔拡大部の少なくとも１つが、足場を含む、請求項１９に記載のアセンブリ。
【請求項２９】
前記足場が、少なくとも１つのステント構造物を含む、請求項２８に記載のアセンブリ。
【請求項３０】
前記足場が、自己拡大するステントリングを含む、請求項２８に記載のアセンブリ。
【請求項３１】
前記足場が、間隔を置かれて離れたステント構造物を含む、請求項２８に記載のアセンブリ。
【請求項３２】
前記間隔を置かれて離れたステント構造物が、一方が他方に互いに取り付けられない第１および第２の隣接するステント構造物を含む、請求項３１に記載のアセンブリ。
【請求項３３】
前記間隔を置かれて離れたステント構造物が、一方が他方に互いに取り付けられる第１および第２の隣接するステント構造物を含む、請求項３１に記載のアセンブリ。
【請求項３４】
前記トランクが軸に沿って延び、前記隔壁が該トランクの該軸に沿って形成された縫い目を備える、請求項１９に記載のアセンブリ。
【請求項３５】
前記縫い目が、織ることによって形成される、請求項１９に記載のアセンブリ。
【請求項３６】
補綴具を展開するためのシステムであって、
請求項１に規定されるような補綴具を、血管または中空の身体器官を含む標的部位中に導入する手段、および
該補綴具を該標的部位において身体組織と接触して位置決めする手段、を備える、システム。
【請求項３７】
前記補綴具を前記標的部位において身体組織に固定する手段をさらに備える、請求項３６に記載のシステム。
【請求項３８】
補綴具を展開するためのシステムであって、
請求項１９に規定されるような補綴具アセンブリを、血管または中空の身体器官を含む標的部位中に導入する手段、
該補綴具アセンブリのトランクを該標的部位において身体組織と接触して位置決めする手段、および
該補綴具アセンブリの管腔拡大部を該トランクに適合する手段、を備える、システム。
【請求項３９】
前記補綴具アセンブリのトランクを前記標的部位において身体組織に固定する手段をさらに備える、請求項３８に記載のシステム。
【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
渦流室として周辺に延在する波形部分を具える、折り曲げ可能な好ましくはＵ字形状部分を有する筒型エア流通路を規定する筒型ボディ（１）であって、前記筒型ボディの端部を閉鎖し、前記端部を連結するキャップ（２）とを具える吸入器において、前記キャップ（２）が少なくとも一の活性で、吸入可能な粒子状物質の投与を具える少なくとも一の閉鎖コンパートメントを有し、前記筒型ボディあるいは前記キャップ（２）が、前記閉鎖コンパートメントを開く、破る、あるいは穴を開けることによって前記閉鎖コンパートメントから、取り入れ方向における前記波形部分の開始地点で前記筒型流通路内へ前記物質を放出し、投与する手段を具えることを特徴とする吸入器。
【請求項２】
請求項１に記載の吸入器において、前記少なくとも一の閉鎖コンパートメント（４）が、引き剥がしフォイル（１０）の手段で閉鎖されていることを特徴とする吸入器。
【請求項３】
請求項２に記載の吸入器において、前記ラミネートバリアフォイルが、両面をポリプロピレン層で被覆したアルミニウム層でできていることを特徴とする吸入器。
【請求項４】
請求項１に記載の吸入器において、前記閉鎖コンパートメント（４）が穴あけ可能なフォイルで閉鎖されており、前記キャップ（２）が前記筒型ボディ（１）に取り付けらるときに、前記筒型ボディ（１）が前記フォイルを突き破るように構成されていることを特徴とする吸入器。
【請求項５】
請求項１に記載の吸入器において、前記閉鎖コンパートメント（４）が前記キャップ（２）を前記筒型ボディ（１）に取り付けて、前記筒型ボディを曲げることによって閉鎖されており、前記閉鎖コンパートメント（４）が前記筒型ボディ（１）を元に戻すことによって開放されることを特徴とする吸入器。
【請求項６】
請求項１に記載の吸入器において、前記閉鎖コンパートメント（４）が、前記筒型ボディ（１）の一部と共に押しつぶす手段を提供することによって閉鎖され、前記閉鎖コンパートメント（４）が前記手段を取り外すことによって開放されることを特徴とする吸入器。
【請求項７】
請求項１に記載の吸入器において、前記閉鎖コンパートメント（４）が筒型ボディを具え、一端が永久的に閉鎖されており、他端が前記筒型ボディ（１）に挿入されるように構成されており、前記閉鎖コンパートメント（４）が前記筒型ボディ（１）の壁の一部を互いに貼り付けることによって閉鎖されており、前記閉鎖コンパートメント（４）が前記筒型ボディ（１）において圧力をかけるか、あるいは引っ張ることによって開放されることを特徴とする吸入器。
【請求項８】
請求項１ないし７のいずれかに記載の一又はそれ以上の吸入器を具えるマルチチューブ吸入器において、前記キャップが前記二またはそれ以上の筒型ボディを収納するように構成されていることを特徴とする吸入器。
【手続補正書】
【提出日】平成19年8月2日(2007.8.2)
【手続補正１】
【補正対象書類名】特許請求の範囲
【補正対象項目名】請求項１８
【補正方法】変更
【補正の内容】
【請求項１８】
請求項１〜１２のいずれか１項に記載のキメラタンパク質の精製調製物。
【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
活性炭が高活性度活性炭である、金属添着剤により添着された活性炭を含有するタバコ煙フィルタ。
【請求項２】
金属添着剤が、銅、モリブデン、マンガン、コバルト、亜鉛および鉄の１以上から選択される請求項１に記載のタバコ煙フィルタ。
【請求項３】
金属添着剤（複数を含む）が高活性度活性炭の乾燥重量の１０％以下である量で存在する請求項１または請求項２に記載のタバコ煙フィルタ。
【請求項４】
金属添着剤（複数を含む）が活性炭の乾燥重量の１〜５％である量で存在する請求項３に記載のフィルタ。
【請求項５】
金属添着剤が銅である請求項１〜４のいずれか一項に記載のタバコ煙フィルタ。
【請求項６】
銅対モリブデンの比率が１．３対１を超える、銅およびモリブデンにより添着された活性炭を含有するタバコ煙フィルタ。
【請求項７】
活性炭が高活性度活性炭である、銅およびモリブデンにより添着された活性炭を含有するタバコ煙フィルタ。
【請求項８】
活性炭が添着前に９０％ＣＴＣを超える活性度を有する請求項１〜７のいずれか一項に記載のフィルタ。
【請求項９】
活性炭が添着前に１００％ＣＴＣを超える活性度を有する請求項１〜７のいずれか一項に記載のフィルタ。
【請求項１０】
活性炭が添着後に８０％ＣＴＣを超える活性度を有する請求項１〜７のいずれか一項に記載のフィルタ。
【請求項１１】
活性炭が添着後に９０％ＣＴＣを超える活性度を有する請求項１〜７のいずれか一項に記載のフィルタ。
【請求項１２】
すべての活性炭が２ｍｍ〜０．１５ｍｍ間の粒径からなる請求項１〜１１のいずれか一項に記載のフィルタ。
【請求項１３】
１０ｍｇ〜１５０ｍｇ間の活性炭を含有する請求項１〜１２のいずれか一項に記載のフィルタ。
【請求項１４】
さらに１以上の追加吸着剤を含む請求項１〜１３のいずれか一項に記載のフィルタ。
【請求項１５】
追加の吸着剤（複数を含む）がＨＣＮ以外の巻きタバコ煙のＶＰ留分中に存在する化合物（複数を含む）を選択的に除去する請求項１４に記載のフィルタ。
【請求項１６】
その上流側末端で包装されたタバコロッドに接合される請求項１〜１５のいずれか一項に記載のフィルタを含むフィルタ巻きタバコ。
【手続補正書】
【提出日】平成19年3月13日(2007.3.13)
【手続補正１】
【補正対象書類名】明細書
【補正対象項目名】００１７
【補正方法】変更
【補正の内容】
【００１７】
図２に示されるハブ１２０の拡大断面図を参照すれば、保持リング１３３が、遠位端１２８と近位端１３０との間で、通路１２６内に配置される。図２Ａを参照すれば、保持リング１３３が、テーパ付きの近位面１３３ａと、通路１２６の長さにほぼ垂直に延びる直線状の遠位面１３３ｂとを有している。当業者は他の適切な材料が使用され得ることが理解されるであろうが、好ましくは、ハブ１２０は、コネチカット州，オレンジ（Orange）のサイロインダストリ（Cyro Industries）により製造されるサイロライト（CYROLITE）（登録商標）メド２（Med2）アクリル系高重合体化合物からなる。
【手続補正２】
【補正対象書類名】明細書
【補正対象項目名】００１８
【補正方法】変更
【補正の内容】
【００１８】
図２に戻って参照すれば、バルブ１４０は、通路１２６内に配置される。バルブ１４０は、シール１４２，支持部材１４４及びプランジャ１４６を有している。シール１４２は、通路１２６の遠位端１２８近傍に配置され、また、略管状の側壁１４７と、通路１２６を通じた流体の流れを阻止するために通路１２６をシールする閉鎖可能な遠位部分１４８とを備えつつ、ほぼ環状に形状付けられている。遠位部分１４８は、その遠位部分１４８の中心から側壁１４７までほぼ径方向に延び、好ましくは周方向にほぼ等間隔に隔てられた複数のスロット又は貫通孔１５０を有している。シール１４２は、全体的に、長手軸１２７まわりに配置され、長手軸１２７は、シール１４２の遠位部分１４８における貫通孔１５０の交差部分を通じて延びている。当業者は３つより多い若しくは少ない貫通孔１５０が用いられ得ることが理解するであろうが、好ましくは、３つのスロット又は貫通孔１５０が存在する（図２では、１つの貫通孔１５０のみ示される）。好ましくは、シール１４２は、シリコンエラストマー又は他の適切な材料から構成され、それにより、詳細については後述されるように、バルブ１４０が開かれた場合に、貫通孔１５０がシール１４２を通じた流体の流れを可能とする。
【手続補正３】
【補正対象書類名】明細書
【補正対象項目名】００１９
【補正方法】変更
【補正の内容】
【００１９】
支持部材１４４が、シール１４２の近傍で、通路１２６内に配置される。支持部材１４４は、ほぼ環状に形状付けられた断面を有し、また、シール１４２の側壁１４７が凹型の遠位部分１５４に適合しつつ取り囲むように、また、通路１２６内で最も遠位にシール１４２を付勢するように寸法設定されている。保持リング１３３は、支持部材１４４が通路１２６内に遠位に挿入されることを許容する一方で、支持部材１４４が通路１２６から近位に移動することを制止する。図２Ａを参照すれば、支持部材１４４は、更に、支持部材１４４の近位端１５８に配置された保持リング１５６を有している。保持リング１５６は、テーパ付きの近位面１５６ａと、通路１２６の長さにほぼ垂直に延びる直線状の遠位面１５６ｂとを有している。好ましくは、支持部材１４４が、ペレセン（PELLETHANE）（登録商標）ポリウレタン，サイロライト（登録商標）アクリル系化合物又は他の適切な材料から構成される。
【手続補正４】
【補正対象書類名】明細書
【補正対象項目名】００２０
【補正方法】変更
【補正の内容】
【００２０】
プランジャ１４６は、支持部材１４４内に配置される遠位部分１６０と、支持部材１４４の近傍で、通路１２６内に配置される近位部分１６２とを有している。プランジャ１４６は、ほぼ環状に形状付けられた断面を有する。プランジャ１４６の最遠位端１６４は、好ましくは、通路１２６の遠位端１２８の同心テーパに等しい角度で、ほぼ同心状にテーパ付けられている。プランジャ１４６の最近位端１６６は、ほぼ通路１２６の側壁まで延びるフランジ１６８を有している。プランジャ通路１６９は、プランジャ１４６の最遠位端１６４と最近位端１６６との間に延びる。
【手続補正５】
【補正対象書類名】図面
【補正対象項目名】図１
【補正方法】変更
【補正の内容】
【図１】
2007508854.tif 000001
【手続補正６】
【補正対象書類名】図面
【補正対象項目名】図２
【補正方法】変更
【補正の内容】
【図２】
2007508854.tif 000002
【手続補正７】
【補正対象書類名】図面
【補正対象項目名】図２Ａ
【補正方法】変更
【補正の内容】
【図２Ａ】
2007508854.tif 000003
【手続補正８】
【補正対象書類名】図面
【補正対象項目名】図３
【補正方法】変更
【補正の内容】
【図３】
2007508854.tif 000004
【手続補正９】
【補正対象書類名】図面
【補正対象項目名】図４
【補正方法】変更
【補正の内容】
【図４】
2007508854.tif 000005
【手続補正１０】
【補正対象書類名】図面
【補正対象項目名】図６
【補正方法】変更
【補正の内容】
【図６】
2007508854.tif 000006
【手続補正書】
【提出日】平成19年8月21日(2007.8.21)
【手続補正１】
【補正対象書類名】明細書
【補正対象項目名】００４３
【補正方法】変更
【補正の内容】
【００４３】
図１１は、この実施態様における、ジャケットパネル５０と同じ三層構造の、大体長方形のポケットの形状をしているラミネートパネル６０の透視図である。シール領域６２は、パネル６０の外周縁部の複合布地面７２をスカイビングすることにより作られている。図１２は、図１０のジャケットパネル５０を示しており、図１１のポケットパネル６０が内側のシール領域５２の中に向きを合わせて配置されている。図示するように、防液性を付与してポケットをジャケットに取り付ける際に、ポケットのシール領域６２がジャケットの内側のシール領域５２に隣接するように、ポケットパネル６０は配置されている。図１３は、パネル間に防液性シールを作るシームテープ６６を使って、ジャケットパネル５０に接合されたポケットパネル６０を示す。図１４ａは、図１３のシールされたシームのＧ−Ｇ’線に沿った横断面図である。この図中では、シームテープ６６は、ポケットパネル６０のシール領域６２とジャケットパネル５０のシール領域５２を橋渡しながらシールしている。この実施態様において、ジャケットパネル５０のシール領域５２はポケットパネル６０のシール領域６２の下に延在する。図１４ｂは、別の実施態様における、図１３のシールされたシームのＧ−Ｇ’線に沿った横断面図である。この図中では、ジャケットパネル５０のシール領域５２の端部は、ポケットパネルの端部６０と大体揃っている。加えて、図１４ｂには任意のステッチ線６８が図示されている。
【手続補正２】
【補正対象書類名】図面
【補正対象項目名】図９
【補正方法】変更
【補正の内容】
【図９】
2007508870.tif 000001
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
ロケータデバイスであって、該デバイスは、
細長部材を備え、該細長部材は管腔によって連結される遠位開口部および近位開口部を有し、
該細長部材は、該遠位開口部が血管の管腔中に配置され、かつ該近位開口部を通る血流が患者身体の外側で可視であるように、該患者の血管内に延びるように適合され、そして
該デバイスは、該遠位開口部の遠位に配置される閉塞部材を提供され、該閉塞部材は、該デバイスが該血管管腔から引き抜かれるときに、該血管からの血流を実質的に遮断することができる、
デバイス。
【請求項２】
前記閉塞部材が、前記細長部材に解放可能に連結される、請求項１に記載のデバイス。
【請求項３】
前記閉塞部材が拡張可能である、請求項２に記載のデバイス。
【請求項４】
前記閉塞部材が生体吸収性である、請求項２に記載のデバイス。
【請求項５】
血管壁の刺し穴に隣接して、しかし該刺し穴の外側に取り付けられる閉鎖デバイスであって、該閉鎖デバイスは、
該刺し穴から延びる管を通して患者の皮膚に導入される細長部材であって、該細長部材は、その遠位領域に第１の開口部を、その近位領域に第２の開口部を有し、かつ該第１の開口部と該第２の開口部との間に延びる管腔を有し、該細長部材は、該第１の開口部の遠位に配置される閉鎖部材を提供される、細長部材
を備え、
該細長部材は、血液が、該第１の開口部に流入するように、該第１の開口部が該血管の該管腔内に配置されるまで該管内に前進させられ、
該細長部材は、次に、該第１の開口部への血流が実質的に妨げられるまで、該該管から引き抜かれる、
閉鎖デバイス。
【請求項６】
前記閉塞部材が、前記細長部材に解放可能に連結され、そして該閉塞部材が、該細長部材から解放される、請求項５に記載の閉鎖デバイス。
【請求項７】
前記閉塞部材が、前記第１の開口部への血流が実質的に妨げられるのと実質的に同時にか、または該第１の開口部への血流が実質的に妨げられた後に、解放される、請求項６に記載の閉鎖デバイス。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
２以上の被検体を含むサンプルにおける多数の電気泳動分離を遂行するためのアセンブリであって、
複数のウエルを包含する上面層、ここで各々のウエルが側壁を有し上面層と組み合わされて各々のウエル中に液体サンプルを保持する、
第１の被検体を保持するための多孔質補足層、ここで多孔質補足層は上面層に緊密な近傍に位置する、
及び
上面層と補足層の間に位置する多孔質分離層、ここで上面層、多孔質補足層及び多孔質分離層を越えて電流が適用されるとき、多孔質分離層は第２の被検体が電気泳動により多孔質補足層に到達するのを阻止する、
を含むアセンブリ。
【請求項２】
１以上の被検体を含むサンプルにおける多数の電気泳動濃縮を遂行するためのアセンブリであって、
複数のウエルを包含する上面層、ここで各々のウエルが側壁を有し上面層と組み合わされて各々のウエル中に液体サンプルを保持する、
１以上の被検体を保持し濃縮する材料で作製された多孔質補足層、ここで多孔質補足層は上面層に緊密な近傍に位置する、
及び
上面層と補足層の間に位置する多孔質分離層、ここで多孔質分離層は、上面層、多孔質補足層及び多孔質分離層を越えて電流が適用されるとき、上面層から補足層への液体流、即ち上面層から多孔質補足層への多孔質分離層の液体流、を阻止し、１以上の被検体が電気泳動により補足層に到達するのを許容する材料である、
を含むアセンブリ。
【請求項３】
２以上の被検体を含むサンプルにおける多数の電気泳動分離を遂行する方法であって、
側壁を有する多数のウエル及び上面層を含むアセンブリに多数の液体サンプルを配置する工程、ここで多数のサンプルの各々は別個のウエルに配置され、アセンブリは更に陽極と陰極の間に位置する補足層を含む、
陽極と陰極を用いて液体に電流を適用することにより、ウエル中に配置された多数の液体サンプルの２以上から被検体を電気泳動的に移動させる工程、
第１の被検体の陰極の方への動き及び第２の被検体の陽極の方への動きを起こす電流極性を適用することにより、多数の液体サンプルの２以上の中の２以上の被検体を電気泳動的に分離する工程、
２以上のウエル中の液体サンプルからの第１の被検体を、補足層上の異なる位置において補足する工程、
及び
アセンブリから、電気泳動的に分離された第１の被検体を含む補足層を取り除く工程
を含む方法。
【請求項４】
２以上の被検体を含むサンプルにおける多数の電気泳動分離を遂行する方法であって、
アセンブリの上面層に位置する多数のウエルに、各々が２以上の被検体を含む多数の液体サンプルを配置する工程、ここで各々のウエルが側壁を有し上面層と組み合わされて各々のウエル中に液体サンプルを保持し、アセンブリは更に上面層と緊密な近傍に位置する多孔質補足層及び上面層と多孔質補足層の間に位置する多孔質分離層を含む、
液体サンプルに電流を適用することにより、ウエル中に配置された液体サンプルから被検体を電気泳動的に移動させる工程、
２以上のサンプルから２以上の被検体を多孔質分離層を通して電気泳動させ、第２の被検体より速い第１の被検体の多孔質分離層を通る動きを起こすことにより、多数のサンプルの２以上の中の２以上の被検体を分離する工程、
第１の被検体の分離層を通る動きと補足層上の補足が完了し、且つ第２の被検体が分離層中に残存するときに電気泳動を停止する工程、
及び
第１の被検体を含む補足層をアセンブリから取り除く工程
を含む方法。
【請求項５】
１以上の被検体を含むサンプルにおける多数の電気泳動濃縮を遂行するための方法であって、
アセンブリの上面層に位置する多数のウエルに、各々が少なくとも１の被検体を含む多数の液体サンプルを配置する工程、ここで各々のウエルが側壁を有し上面層と組み合わされて各々のウエル中に液体サンプルを保持し、アセンブリは更に上面層と緊密な近傍に位置する多孔質補足層及び上面層と多孔質補足層の間に位置する多孔質分離層を含む、
上面層に別個に位置する液体サンプルから上記少なくとも１の被検体を、液体流を阻止する分離層を通って、電気泳動的に移動させる工程、
上記少なくとも１の被検体を補足層上で補足する工程
及び
アセンブリから補足層を取り除く工程
を含む方法。
【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
選択した光を透過するポリマー製透過層と、前記透過層にメルトボンドされた前記選択した光を遮蔽するポリマー製制御層とを含む本体であって、前記制御層の第１の主面が前記透過層に対向しており、第２の主面が前記透過層から見て外方に向いているポリマー製本体と、
前記制御層に形成された複数の処理チャンバ構造であって、各処理チャンバ構造が、前記制御層により形成された内部窓面と内部側面とを含む、複数の処理チャンバ構造と、
前記制御層の前記第２の主面に取り付けられたカバーシートであって、当該カバーシートと前記複数の処理チャンバ構造が試料処理装置の複数の処理チャンバを画定しており、前記選択した光が前記内部窓面を通して各処理チャンバへまたは各処理チャンバから透過可能である、カバーシートと、
前記試料処理装置内の管であって、前記複数の処理チャンバの各処理チャンバと流体連通している管と、
を含む試料処理装置。
【請求項２】
選択した光を透過するポリマー製透過層と、
前記透過層にメルトボンドされた前記選択した光を遮蔽するポリマー製制御層であって、前記制御層の第１の主面が前記透過層に対向しており、第２の主面が前記透過層から見て外方に向いている制御層と、
前記制御層に形成される複数の処理チャンバ構造であって、各処理チャンバ構造が、前記制御層により形成された内部窓面と内部側面とを含む、複数の処理チャンバ構造と、
を含む本体を用意する工程と、
前記制御層の前記第２の主面にカバーシートを取り付ける工程と、
を含み、前記カバーシートと前記複数の処理チャンバ構造が試料処理装置の複数の処理チャンバを画定し、前記カバーシートを取り付けることにより、前記試料処理装置内に管が形成され、前記複数の処理チャンバの各処理チャンバが前記管と流体連通する試料処理装置の製造方法。
【請求項３】
第１の主面と平坦な第２の主面とを含み、選択した光を遮蔽するポリマー製本体と、
前記本体に形成された複数の処理チャンバ構造であって、前記本体の前記第１の主面に形成された複数の処理チャンバ構造と、
前記本体の前記第１の主面に取り付けられたカバーシートであって、前記カバーシートと前記複数の処理チャンバ構造が試料処理装置の複数の処理チャンバ構造を画定しており、前記選択した光を透過するカバーシートと、
前記本体と前記カバーシートの間に配置された管であって、前記複数の処理チャンバの各処理チャンバが前記管と流体連通している管と、
を含む試料処理装置。
【請求項４】
第１の主面と平坦な第２の主面とを含むポリマー製本体であって、選択した光を遮蔽し、前記本体の前記第１の主面に形成された複数の処理チャンバ構造を更に含む本体を用意する工程と、
前記本体の前記第１の主面にカバーシートを取り付ける工程であって、前記カバーシートと前記複数の処理チャンバ構造が試料処理装置の複数の処理チャンバを画定する工程と、
を含み、前記カバーシートを取り付ける工程により、前記試料処理装置内に管が形成され、前記複数の処理チャンバの各処理チャンバが前記管と流体連通する試料処理装置の製造方法。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
レーダ処理方法であって、
第１レーダのアンテナから第１信号ビームを目標物の方向に放射し、
第２レーダのアンテナから第２信号ビームを前記目標物の方向に放射し、
前記第１及び第２レーダにおいて、前記第１信号ビームからのエコー信号を受信し、
前記第１及び第２レーダにおいて、前記第２信号ビームからのエコー信号を受信し、
前記第１レーダにおいて受信した前記エコー信号を処理して、第１レーダ処理済みエコー信号を生成し、
前記第２レーダにおいて受信した前記エコー信号を処理して、第２レーダ処理済みエコー信号を生成し、
前記第１及び第２レーダ処理済みエコー信号値を合成して、集約値を形成する、
ことを含む方法。
【請求項２】
前記第１及び第２信号ビームは、それぞれの異なる第１及び第２搬送波周波数を有する、請求項１に記載のレーダ処理方法。
【請求項３】
前記合成は、前記第１及び第２レーダ処理済みエコー信号の全てをインコヒーレントに合成することを含む、請求項２に記載のレーダ処理方法。
【請求項４】
前記合成は、
前記第１及び第２レーダ処理済みエコー信号のうちの、前記第１搬送波周波数を有するエコー信号をコヒーレントに合成し、
前記第１及び第２レーダ処理済みエコー信号のうちの、前記第２搬送波周波数を有するエコー信号をコヒーレントに合成し、
前記第１及び第２搬送波周波数について、前記コヒーレント合成の結果をインコヒーレントに合成する、
ことを含む、請求項２に記載のレーダ処理方法。
【請求項５】
前記第１及び第２信号ビームは同じ搬送波周波数を有する、請求項１に記載のレーダ処理方法。
【請求項６】
前記合成は、
前記第１及び第２レーダ処理済みエコー信号のうちの、前記第１信号ビームからのエコー信号をコヒーレントに合成して、第１の結果を生成し、
前記第１及び第２レーダ処理済みエコー信号のうちの、前記第２信号ビームからのエコー信号をコヒーレントに合成して、第２の結果を生成し、
前記第１及び第２の結果をコヒーレントに合成する、
ことを含む、請求項５に記載のレーダ処理方法。
【請求項７】
前記合成は、
前記第１及び第２レーダ処理済みエコー信号のうちの、前記第１信号ビームからのエコー信号をコヒーレントに合成して、第１の結果を生成し、
前記第１及び第２レーダ処理済みエコー信号のうちの、前記第２信号ビームからのエコー信号をコヒーレントに合成して、第２の結果を生成し、
前記第１及び第２の結果をインコヒーレントに合成する、
ことを含む、請求項５に記載のレーダ処理方法。
【請求項８】
前記合成は、
前記第１及び第２レーダ処理済みエコー信号のうちの、前記第１信号ビームからのエコー信号をインコヒーレントに合成して、第１の結果を生成し、
前記第１及び第２レーダ処理済みエコー信号のうちの、前記第２信号ビームからのエコー信号をインコヒーレントに合成して、第２の結果を生成し、
前記第１及び第２の結果をインコヒーレントに合成する、
ことを含む、請求項５に記載のレーダ処理方法。
【請求項９】
前記第１及び第２信号ビームは、時間的に順次に送信される、請求項８に記載のレーダ処理方法。
【請求項１０】
前記アンテナは同期された回転アンテナである、請求項１に記載のレーダ処理方法。
【請求項１１】
前記アンテナは非回転フェーズドアレイを備える、請求項１に記載のレーダ処理方法。
【請求項１２】
レーダ信号を処理する方法であって、
第１レーダによって第１信号ビームを放射し、該第１信号ビームは目標物の方向に放射され、
前記第１レーダにおいて、前記第１信号ビームからのエコー信号を受信し、
前記目標物の方向に第２信号ビームを放射する別の第２レーダによって放射された第２信号ビームからのエコー信号を、第１レーダにおいて受信し、前記第１レーダ及び前記第２レーダは所定の距離をおいて配置され、
前記第１レーダにおいて、前記第１及び第２信号ビームからの前記エコー信号を処理して、第１レーダ処理済みエコー信号を提供する、
ことを含む方法。
【請求項１３】
前記処理済みエコー信号を、前記第２レーダによって受信され、処理された、前記第１及び第２信号ビームからのエコー信号と合成して、集約値を形成する、
ことをさらに含む、請求項１１に記載の方法。
【請求項１４】
レーダであって、
アンテナに信号を供給して、目標物の方向に第１ＲＦ信号を放射する送信機と、
前記第１ＲＦ信号からのエコー信号と、第２レーダの第２アンテナによって前記目標物の方向に放射された第２ＲＦ信号からのエコー信号を受信する受信機と、
前記受信機によって受信された前記第１及び第２ＲＦ信号からの前記エコー信号を処理して処理済みエコー信号を供給し、該処理済みエコー信号を、前記第２レーダの受信機によって受信された、前記第１及び第２ＲＦ信号からのエコー信号と合成することによって、集約値を形成する回路と、
を備えたレーダ。
【請求項１５】
前記回路はデジタル信号プロセッサである、請求項１４に記載のレーダ。
【請求項１６】
前記回路はアナログ回路である、請求項１４に記載のレーダ。
【請求項１７】
前記アンテナの回転を前記第２レーダの前記第２アンテナと同期させる回路をさらに備える、請求項１４に記載のレーダ。
【請求項１８】
前記第１及び第２信号ビームは、それぞれの異なる第１及び第２搬送波周波数を有する、請求項１４に記載のレーダ。
【請求項１９】
前記回路は、インコヒーレント積分を使用して、前記処理済みエコー信号を合成する、請求項１８に記載のレーダ。
【請求項２０】
前記回路は、コヒーレント積分とインコヒーレント積分の両方を使用して前記処理済みエコー信号を合成する、請求項１８に記載のレーダ。
【請求項２１】
前記第１及び第２信号ビームは、それぞれ同じである第１及び第２搬送波周波数を有する、請求項１４に記載のレーダ。
【請求項２２】
前記回路は、コヒーレント積分を使用して、前記処理済みエコー信号を合成する、請求項２１に記載のレーダ。
【請求項２３】
前記回路は、インコヒーレント積分を使用して、前記処理済みエコー信号を合成する、請求項２１に記載のレーダ。
【請求項２４】
前記回路は、コヒーレント積分とインコヒーレント積分の両方を使用して前記処理済みエコー信号を合成する、請求項２１に記載のレーダ。
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
第1の表面を有する導電性支持体；および
複数の非選択性イオン交換部位を有する、前記第1の表面に隣接したイオン絶縁性の疎水性層；
を含む参照電極。
【請求項２】
イオン絶縁性の疎水性層がポリテトラフルオロエチレンを含む、請求項1に記載の参照電極。
【請求項３】
複数の非選択性イオン交換部位がゼオライトを含む、請求項1に記載の参照電極。
【請求項４】
導電性支持体が電界効果トランジスタに電気的に連結されている、請求項1に記載の参照電極。
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
視野角に応じて異なるビューが表示されるように３次元画像を表示する表示装置であって、
前記画像を表示する、複数の別々にアドレス可能な画素を有する表示パネルであって、グループ内の異なる画素が前記画像の異なるビューに対応するように前記画素がグループ化された当該表示パネルと、
受け取った画像データに従ってグレースケール画像を生成するために各画素の光学的特性を制御する表示ドライバと、
前記光学的特性の所定の視野角依存性を補償するためにグループ内の少なくとも幾つかの画素の前記光学的特性を更に制御するグレースケール補償装置と
を含む当該表示装置。
【請求項２】
複数の別個の照明源を与えるバックパネルを更に含み、前記表示パネルにおける画素の各グループが前記別個の照明源の対応する１つから光を受け取るように配置された請求項１記載の表示装置。
【請求項３】
前記バックパネルは複数の線照明源を与える請求項２記載の表示装置。
【請求項４】
前記バックパネルは複数の点照明源を与える請求項２記載の表示装置。
【請求項５】
前記表示パネルは、前記バックパネルが配されている側と反対の側から見る光透過型の表示パネルである請求項２記載の表示装置。
【請求項６】
前記表示パネルの近傍に配置されたレンティキュラアレイを更に含み、このアレイ内の各レンティクルは前記表示パネルの選択された画素からの光を集束させる請求項１記載の表示装置。
【請求項７】
前記アレイ内の各レンティクルは前記画素のグループに関連する請求項６記載の表示装置。
【請求項８】
前記光学的特性は光透過特性であり、前記表示ドライバ及びグレースケール補償装置は表示されるべきグレースケール画像に応じて各画素を通過する光の量を制御する請求項１ないし７のいずれか１項に記載の表示装置。
【請求項９】
前記グレースケール補償装置は、グループ内の各画素に関して与えられるべき補正値を含むルックアップテーブルを有する請求項１ないし８のいずれか１項に記載の表示装置。
【請求項１０】
前記補正値は前記グループ内の対応する画素の視野角に応じて選択される請求項９記載の表示装置。
【請求項１１】
前記補正値は、前記視野角に依存しないよう画素のグループにより表示されるグレースケールの強度を実質的に正規化するように選択される請求項１０記載の表示装置。
【請求項１２】
前記ルックアップテーブルは、フレーム記憶部に与えられるべき視野角の関数として代替値又はオフセット値を含む請求項９記載の表示装置。
【請求項１３】
前記グレースケール補償装置は、透過度対電圧特性を構成し、前記表示ドライバから受け取った画素駆動電圧及び／又は電流を調節する請求項８記載の表示装置。
【請求項１４】
前記グレースケール補償装置は、前記表示ドライバから受け取った前記画素駆動電圧及び／又は電流に電圧及び／又は電流オフセットを与える請求項１３記載の表示装置。
【請求項１５】
前記表示パネルの固有の前記光学的特性は、視野角依存性がｙ軸に関して低減又は実質的に最小化されるように構成され、前記グレースケール補償装置は前記ｙ軸を横切る軸に関して視野角依存性を低減又は実質的に最小化する役割を果たす請求項１ないし１４のいずれか１項に記載の表示装置。
【請求項１６】
前記グレースケール補償装置は、前記ｙ軸と直交する軸（すなわちｘ軸）に関して視野角依存性を低減又は実質的に最小化する役割を果たす請求項１５記載の表示装置。
【請求項１７】
物体に組み込まれており、前記ｘ軸は前記物体が通常使用される際に水平軸として定義され、前記ｙ軸は前記物体が通常使用される際に垂直軸として定義される請求項１６記載の表示装置。
【請求項１８】
視野角に応じて画像の異なるビューが表示されるように表示装置に３次元の前記画像を表示する方法であって、
表示パネルにおける複数の別々にアドレス可能な画素のそれぞれに関してグレースケール画素データ値を形成するために画像データを処理するステップであって、前記画素は、グループ内の異なる画素が前記画像の異なるビューに対応するようにグループ化され、前記画素データ値はそれぞれグレースケール画像を生成するために対応する画素の光学的特性を制御する当該ステップと、
前記光学的特性の所定の視野角依存性を補償するために各グループ内の少なくとも幾つかの画素データ値にグレースケール補正値を与えるステップと、
前記画像を生成するように表示パネルの画素を駆動するため、補正された前記画素データ値を用いるステップと
を含む当該方法。
【請求項１９】
前記光学的特性は光透過特性であり、与えられる前記グレースケール補正値は表示されるべき３次元グレースケール画像に応じて各画素を通過する光の量を制御するよう構成される請求項１８記載の方法。
【請求項２０】
前記グレースケール補正値は、グループ内の各画素に関して与えられるべき補正値を含むルックアップテーブルから得られる請求項１８記載の方法。
【請求項２１】
前記補正値は、前記グループ内の対応する画素の視野角に応じて選択される請求項１９記載の方法。
【請求項２２】
前記補正値は、前記視野角に依存しないよう画素のグループにより表示されるグレースケールを実質的に正規化するように選択される請求項２１記載の方法。
【請求項２３】
前記グレースケール補正値は前記表示パネルの透過度対電圧特性から得られ、前記補正された画素データ値は前記表示パネルに与えられる画素駆動電圧及び／又は電流を調節するために用いられる請求項１９記載の方法。
【請求項２４】
視野角依存性がｙ軸に関して低減又は実質的に最小化されるように前記表示パネルの固有の前記光学的特性を構成し、前記ｙ軸を横切る軸に関して視野角依存性を低減又は実質的に最小化するように前記グレースケール補正値を与えるステップを更に含む請求項１８ないし２３のいずれか１項に記載の方法。
【請求項２５】
前記グレースケール補正値は、前記ｙ軸と直交する軸（すなわちｘ軸）に関して視野角依存性を低減又は実質的に最小化するように与えられる請求項２４記載の方法。
【請求項２６】
前記ｘ軸は前記表示パネルが通常使用される際に水平軸であり、前記ｙ軸は前記表示パネルが通常使用される際に垂直軸である請求項２５記載の方法。
【手続補正書】
【提出日】平成19年9月22日(2007.9.22)
【手続補正１】
【補正対象書類名】特許請求の範囲
【補正対象項目名】全文
【補正方法】変更
【補正の内容】
【特許請求の範囲】
【請求項１】
画像ディスプレイであって、
（ａ）画面を提供する画像媒体と、
（ｂ）画像ディレクティング装置とを有し、
前記画面は、水平軸および垂直軸を有する合成画像であり２若しくはそれ以上の元画像からの画像データの平行スライスから成る合成画像を表示するものであって、意図したとおりに見られるとき、前記合成画像の水平軸に対しても垂直軸に対しても平行にならないようにスライスが傾斜する１つのイメージを形成するように混合しており、
前記画像ディレクティング装置は、前記合成画像のスライスに対して平行になるように傾斜された素子を有する、画像ディスプレイ。
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
集積マイクロ波送受信機タイル構造であって、
平面部分と、規定した行および列のパターンに配列された本体部分を有する複数の一体形成されたマイクロ波送受信機のアレイとを含む、第１の全体的に平面の回路ボード層構造であって、前記送受信機の各々が、前記第１層構造の面に対して概略的に垂直に延びる、関連の送受信機軸を有し、前記第１回路ボード層構造の前記平面部分と前記複数の送受信機の前記本体部分とが、一体的に共通材料で成形されている、第１回路ボード層構造と、
前記送受信機に動作的に接続された送受信機機能動作回路を含み、送信および受信の動作モードにおいて同時に前記送受信機の動作を促進するように機能する、第２の全体的に平面の回路ボード層構造と、
を備えた、集積マイクロ波送受信機タイル構造。
【請求項２】
請求項１記載のタイル構造において、前記送受信機は、互いに対して概略的に直交する、前記アレイ内における線に沿って位置する、タイル構造。
【請求項３】
請求項１記載のタイル構造において、概略的に送受信機軸に沿って見たときに、細長い周囲縁を有し、該周囲縁は、かかる縁の交差対の間にある角において終了し、前記タイル構造は、２つのタイル構造を、一方における縁を他方における縁に、実質的に突き合わせて、規定の方法で直面するように、一緒に互いに隣接させると、各タイル構造における少なくともある送受信機が、前記他方の隣接タイル構造における少なくともある送受信機と、行および列パターン連続体を形成するようにした、タイル構造。
【請求項４】
請求項１記載のタイル構造において、概略的に送受信機軸に沿って見たときに、細長い周囲縁を有し、該周囲縁は、かかる縁の交差対の間にある角において終了し、前記タイル構造は、２つのタイル構造を、一方における縁を他方における縁に、実質的に突き合わせかつ角を一致させて、規定の方法で直面するように、一緒に互いに隣接させると、各タイル構造における前記送受信機が、前記他方の隣接タイル構造における前記送受信機と、行および列パターン連続体を形成するようにした、タイル構造。
【請求項５】
請求項１記載のタイル構造において、概略的に送受信機軸に沿って見たときに、細長く、直交関係にある周囲縁を有し、該周囲縁は、かかる縁の交差対の間にある角において終了し、前記タイル構造は、２つのタイル構造を、一方における縁を他方における縁に、実質的に突き合わせかつ角を一致させて直面するように、一緒に互いに隣接させると、各タイル構造における前記送受信機が、前記他方の隣接タイル構造における前記送受信機と、行および列パターン連続体を形成するようにした、タイル構造。
【請求項６】
請求項５記載のタイル構造において、前記周囲縁は、実質的に正方形を描く、タイル構造。
【請求項７】
請求項１記載のタイル構造において、前記第１および第２回路ボード層構造は、集合的に、複数の回路ボード部分の組立スタックの形態をなす、タイル構造。
【請求項８】
請求項１記載のタイル構造において、物体走査環境において用いるために設計され、前記送受信機および前記動作回路は、このような環境において、生理および非生理間での物体走査差別化を行うように構成されている、タイル構造。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
光を発生する光源と、
前記光源からの前記光を受信するよう結合した第１の導波路と、
前記第１の導波路から微小球に光を結合させるように配置された少なくとも１つのマイクロレゾネータと、を含み、前記マイクロレゾネータが、ささやきの回廊モードを画定し、少なくとも１つの多孔質表面領域を有するマイクロレゾネータシステム。
【請求項２】
前記導波路を介して前記光源から前記マイクロレゾネータに結合した前記光によって、前記ささやきの回廊モードが励起可能であり、前記ささやきの回廊モードが前記多孔質表面領域と光結合している、請求項１に記載のシステム。
【請求項３】
液体媒体および気体媒体の一方の中の検体をさらに含み、前記多孔質表面領域が前記液体媒体に曝露される、請求項１に記載のシステム。
【請求項４】
検体の検出方法であって、
光を第１の導波路中に通すステップと、
前記第１の導波路からの光を多孔質表面領域を有するマイクロレゾネータと結合させるステップと、
その結合多孔質表面領域を、前記検体を含有する流体に曝露するステップと、
前記マイクロレゾネータからの光を監視するステップと、
前記監視した光から前記検体の存在を判定するステップと、を含む方法。
【請求項５】
少なくとも第１の波長でささやきの回廊モードを画定するマイクロレゾネータとして機能する本体を含み、前記本体の少なくとも一部の表面部分が多孔質であるマイクロレゾネータ。
【手続補正２】
【補正対象書類名】明細書
【補正対象項目名】００１３
【補正方法】変更
【補正の内容】
【００１３】
光源１０２は、あらゆる好適な種類の光源であってよい。効率および感度を増大させるためには、レーザーダイオードなどのレーザーなど、光源は、導波路１０４に効率的に結合する光を発生すると好都合である。光源１０２は、検出される化学種と相互作用する波長の光１０８を発生する。光源１０２は、調整可能であってよく、さらに単一縦モードで光１０８を発生してもよいし、しなくてもよい。